(57)【特許請求の範囲】
【請求項１】
マンホールの側壁に穿設された孔に、フランジ状の環状リブが周囲に複数形成されたリブ付パイプを接続するためのマンホール用可撓継手の取付構造であって、
弾性部材からなる筒状の継手本体部を備え、
該継手本体部の、前記リブ付パイプの挿入口部側とは逆側に位置する後部は、前記マンホールに設けられた孔に取付けられ、
しかも前記リブ付パイプの挿入口部側となる前記継手本体部の前部外周には、前記リブ付パイプに形成された隣接する環状リブ間に嵌まり込む断面が略クサビ状の固定用補助材と、該固定用補助材の外周に巻回されるホースバンドが設けられ、該ホースバンドの締め付けで固定用補助材の径を小さくすることによって、前記継手本体部の前部内周側を、挿入された前記リブ付パイプの隣接する環状リブ間に押付け当接させて固定するように構成したことを特徴とするマンホール用可撓継手の取付構造。
【請求項２】
前記継手本体部の前部の、固定用補助材によって押付けられる部位よりさらに前側の部位の肉厚を、前記押付けられる部位の肉厚よりも厚くしたことを特徴とする請求項１に記載のマンホール用可撓継手の取付構造。
【請求項３】
前記継手本体部の後部は、拡径することによって前記マンホールに設けられた孔に取付けられることを特徴とする請求項１又は２に記載のマンホール用可撓継手の取付構造。
【請求項４】
マンホールの側壁に穿設された孔に、フランジ状の環状リブが周囲に間隔をおいて複数形成されたリブ付パイプを接続するためのマンホール用可撓継手であって、
弾性部材からなる筒状で、前記リブ付パイプの挿入口部側とは逆側に位置する後部が、前記マンホールに設けられた孔に取付けられる継手本体部と、
前記リブ付パイプの挿入口部側となる前記継手本体部の前部外周に設けられ、前記リブ付パイプに形成された隣接する環状リブ間に嵌まり込むことが可能な断面が略クサビ状で、切り欠き部が一つ形成された環状の固定用補助材と、
該固定用補助材の外周に巻回され、その締め付けで前記固定用補助材に形成された切り欠き部がなくなるように切り欠き部を間にして対向する固定用補助材の両端部を接触させるように、固定用補助材の径を小さくすることによって、前記継手本体部の前部を変形させその前部内周側を、前記リブ付パイプの隣接する環状リブ間に押付け当接させて固定することが可能なホースバンドと、を備えることを特徴とするマンホール用可撓継手。
【発明の詳細な説明】
【０００１】
【発明の属する技術分野】
本発明は、マンホールの側壁にリブ付パイプを接続するために使用されるマンホール用可撓継手の取付構造及びそのマンホール用可撓継手に関する。
【０００２】
【従来の技術】
図６に、マンホールの側壁Ａに穿設された孔Ｈに、フランジ状の環状リブＲが周囲に複数形成された、いわゆるリブ付パイプＰを接続するために使用される従来のマンホール用可撓継手を示す。
このマンホール用可撓継手は、リブ付パイプＰの径よりも若干径の大きい塩ビのパイプ２０と該パイプ２０の外周にホースバンド２１の締め付けにより固定され、そのフランジ部２２ａがマンホールの側壁Ａに固定される継手本体部２２とからなり、パイプ２０の内周面には挿入されたリブ付パイプＰに弾接する環状のゴムパッキン２３が固定されている。
【０００３】
同様な技術としては、例えば特開平１１−２１９２９号公報に記載されたものがあげられる。これは、マンホールの側壁に取付けられる、フランジが設けられた内筒部が、リブ付パイプが挿入されるスリーブ短管にバンドで緊締され、さらにスリーブ短管の内周面にはゴムリングが設けられ、そのゴムリングを介してリブ付パイプと接続するようになっている。
【０００４】
【発明が解決しようとする課題】
しかしながら、図６及び特開平１１−２１９２９号公報で開示された発明はいずれも、パイプ２０又はスリーブ短管の内周面に取付けられたゴムパッキン２３又はゴムリングが、挿入されたリブ付パイプＰに弾接することによりその間のシール性を確保するものであるためシール性が不十分であるという問題がある。
すなわち、マンホール用可撓継手はリブ付パイプとともに土中に埋設されると、土圧の影響を受ける。よって、土圧が強いとマンホール用可撓継手は変形し、ゴムパッキン２３又はゴムリングによるシール機能を低下させる場合がある。その結果、リブ付パイプとマンホール用可撓継手の間から水が漏れる場合がある。
【０００５】
また、ゴムパッキン２３又はゴムリングの取付位置は、パイプ２０又はスリーブ短管の内周面側であり、ゴムパッキン２３又はゴムリングが取付けられた状態で、リブ付パイプが所定の位置まで挿入する必要があるので円滑に挿入することができない。特に、シール効果を向上させるためゴムパッキン２３又はゴムリングの幅及び高さを大きくすると引っ掛かりにより挿入作業は困難である。
【０００６】
そこで本発明の目的は、リブ付パイプの挿入が容易でしかもシール性に優れるマンホール用可撓継手の取付構造及びそのマンホール用可撓継手を提供することにある。
【０００７】
【課題を解決するための手段】
上記の目的を達成するために、請求項１に記載の発明は、マンホールの側壁（Ａ）に穿設された孔（Ｈ）に、フランジ状の環状リブ（Ｒ）が周囲に複数形成されたリブ付パイプ（Ｐ）を接続するためのマンホール用可撓継手の取付構造であって、弾性部材からなる筒状の継手本体部（１０）を備え、継手本体部（１０）の、リブ付パイプ（Ｐ）の挿入口部側とは逆側に位置する後部（Ｙ）は、マンホールに設けられた孔（Ｈ）に取付けられ、しかも、リブ付パイプ（Ｐ）の挿入口部側となる継手本体部（１０）の前部（Ｘ）外周には、リブ付パイプ（Ｐ）に形成された隣接する環状リブ（Ｒ，Ｒ）間に嵌まり込む断面が略クサビ状の固定用補助材（１１）と、固定用補助材（１１）の外周に巻回されるホースバンド（１２）が設けられ、ホースバンド（１２）の締め付けで固定用補助材（１１）の径を小さくすることによって、前記継手本体部（１０）の前部（Ｘ）内周側を、挿入されたリブ付パイプ（Ｐ）の隣接する環状リブ（Ｒ，Ｒ）間に押付け当接させて固定するように構成したことを特徴とする。
【０００８】
また請求項２に記載の発明は、継手本体部（１０）の前部（Ｘ）の、固定用補助材（１１）によって押付けられる部位よりさらに前側の部位（Ｘａ）の肉厚を、前記押付けられる部位の肉厚よりも厚くしたことを特徴とする。
【０００９】
さらに請求項３に記載の発明は、継手本体部（１０）の後部（Ｙ）は、拡径することによって前記マンホールに設けられた孔（Ｈ）に取付けられることを特徴とする。
【００１０】
また請求項４に記載の発明は、マンホールの側壁（Ａ）に穿設された孔（Ｈ）に、フランジ状の環状リブ（Ｒ）が周囲に間隔をおいて複数形成されたリブ付パイプ（Ｐ）を接続するためのマンホール用可撓継手であって、弾性部材からなる筒状で、前記リブ付パイプ（Ｐ）の挿入口部側とは逆側に位置する後部（Ｙ）が、前記マンホールに設けられた孔（Ｈ）に取付けられる継手本体部（１０）と、前記リブ付パイプ（Ｐ）の挿入口部側となる前記継手本体部（１０）の前部（Ｘ）外周に設けられ、前記リブ付パイプ（Ｐ）に形成された隣接する環状リブ（Ｒ，Ｒ）間に嵌まり込むことが可能な断面が略クサビ状で、切り欠き部（１１ａ）が一つ形成された環状の固定用補助材（１１）と、該固定用補助材（１１）の外周に巻回され、その締め付けで前記固定用補助材（１１）に形成された切り欠き部（１１ａ）がなくなるように切り欠き部（１１ａ）を間にして対向する固定用補助材（１１）の両端部（１１ｂ，１１ｂ）を接触させるように、固定用補助材（１１）の径を小さくすることによって、前記継手本体部（１０）の前部（Ｘ）を変形させその前部（Ｘ）内周側を、前記リブ付パイプ（Ｐ）の隣接する環状リブ（Ｒ，Ｒ）間に押付け当接させて固定することが可能なホースバンド（１２）と、を備えることを特徴とする。
【００１１】
なお、上記の課題を解決するための手段に記載された括弧内の記号は図面及び後述する発明の実施の形態に記載された記号に対応するものである。
【００１２】
請求項１及び請求項４に記載の発明によれば、継手本体部とリブ付パイプとの接続は、固定用補助材及びホースバンドを介して継手本体部の前部を直接、隣接する環状リブ間に押付け固定させるため、弾性部材からなる継手本体部の前部は変形して強固にリブ付パイプに弾接する。このように、継手本体部とリブ付パイプとの接続は強固になるので、継手本体部とリブ付パイプとの間のシール性は土圧の影響を受けても十分確保される。
また、固定用補助材及びホースバンドは、継手本体部の外周に設けられていて内周側に従来例で示したゴムパッキンのような突起部はないので、継手本体部に対するリブ付パイプの挿入は容易で取付作業の簡素化が図られる。
【００１３】
また、請求項２に記載の発明によれば、請求項１に記載の発明の作用効果に加えて、継手本体部の前部の、固定用補助材によって押付けられる部位よりさらに前側の部位の肉厚を、押付けられる部位の肉厚よりも厚くしてあるので、リブ付パイプに引抜き力が加わっても厚肉の部位がストッパーの役割をして継手本体部とリブ付パイプとの接続は容易に離れない。
【００１４】
さらに、請求項３に記載の発明によれば、請求項１又は２に記載の発明の作用効果に加えて、継手本体部の後部は、拡径することによってマンホールに設けられた孔に取付けられるので、取付けが容易である。
【００１６】
【発明の実施の形態】
図面を参照して、本発明の実施形態に係るマンホール用可撓継手について説明する。なお、従来例と同一の部分には同一の符号を記した。図１は本発明の実施形態に係るマンホール用可撓継手が使用された状態を示し、部分的に断面を示するものである。
【００１７】
本発明の実施形態に係るマンホール用可撓継手は、図１に示すように、マンホールの側壁Ａに穿設された孔Ｈに、フランジ状の環状リブＲが周囲に複数形成されたリブ付パイプＰを接続するために使用されるもので、継手本体部１０と、固定用補助材１１と、及びホースバンド１２とから主に構成されている。
【００１８】
継手本体部１０は、耐候性、耐薬品性に優れたＥＰＤＭなどの合成ゴムからなる筒状で可撓性を有するものであり、リブ付パイプＰが容易に挿入されるように継手本体部１０の内径はリブ付パイプＰの外径よりも若干大きくなっている。
【００１９】
継手本体部１０のリブ付パイプＰの挿入口部側とは逆側の後部Ｙは、フランジ状になっていて張り出し金具１３を使用して拡径させられることによってマンホールに設けられた孔Ｈに取付けられるようになっている。
逆に継手本体部１０の挿入口部側となる前部Ｘの外周には、固定用補助材１１とその固定用補助材１１のさらに外周に巻回されるホースバンド１２が設けられている。
【００２０】
固定用補助材１１は、図２及び図３に示すように、一部が切り欠きされた環状で、しかもその断面がリブ付パイプＰ側に突起したクサビ状であり、リブ付パイプＰに形成された隣接する環状リブＲ，Ｒ間に嵌まり込むようになっている。また固定用補助材１１は、ゴム製でホースバンド１２の締め付けにより、切り欠き部１１ａがなくなるように固定用補助材１１の径を小さくすることによって、継手本体部１０の前部Ｘを変形させ、前部Ｘの内周側を、挿入されたリブ付パイプＰの隣接する環状リブＲ，Ｒ間に押付けて固定するようになっている。
なお、切り欠き部１１ａを間にして対向する固定用補助材１１の両端部１１ｂ，１１ｂは斜めにカットされていてホースバンド１２の締め付けにより両端部１１ｂ，１１ｂが接触するようになっている。また固定用補助材１１の長さは適正な接続状態を確保するのに必要な寸法に事前に調整されている。
【００２１】
また固定用補助材１１の外周には、ホースバンド１２が嵌合する凹部１５が形成されていて、ホースバンド１２の脱落が防止されている。また、継手本体部１０の前部Ｘにおいて、固定用補助材１１によって押付けられる部位よりさらに前側の部位Ｘａの肉厚は、押付けられる部位の肉厚よりも厚く設定され、リブ付パイプＰに引抜き力が加わっても厚肉の部位Ｘａがストッパーの役割をして継手本体部１０とリブ付パイプＰとの接続が離れないようにされている。
【００２２】
以上のように構成されたマンホール用可撓継手を使用して、リブ付パイプＰを接続するには、先ず継手本体部１０の後部Ｙを張り出し金具１３を使用して拡径してマンホールに設けられた孔Ｈに取付ける。
次に、固定用補助材１１をリブ付パイプＰに通した後、リブ付パイプＰを継手本体部１０の前部Ｘの挿入口から挿入する。この時に、継手本体部１０の内周面側は平坦で特に突起部などはないので、挿入は極めて円滑に行われる。
その後、固定用補助材１１を継手本体部１０の前部Ｘの外周に移動させ、リブ付パイプＰの隣接する環状リブＲ，Ｒ間に位置合わせする（図４に示す状態）。
そして、ホースバンド１２の締め付けを固定用補助材１１の両端部１１ｂ，１１ｂが互いに接触するまで行うと接続が完了する。
【００２３】
これによれば、継手本体部１０とリブ付パイプＰとの接続は、固定用補助材１１及びホースバンド１２を介して継手本体部１０の前部Ｘを直接、隣接する環状リブＲ，Ｒ間に押付け固定させるため、弾性部材からなる継手本体部１０の前部Ｘは変形して強固にリブ付パイプＰに弾接する。よって、継手本体部１０とリブ付パイプＰとの間のシール性が土圧の影響を受けても十分確保される。
【００２４】
なお本実施形態では、継手本体部１０の後部Ｙの形状は、図５に示すように、スカート状に広がるものでもよい。また、本実施形態では、継手本体部１０の後部Ｙを張り出し金具１３を使用し拡径することによりマンホールの孔Ｈに容易に取付けるようにしたが、特に拡径させることなく取付けるタイプのものにも適用可能である。
さらに、固定用補助材１１には切り欠き部１１ａを設け、切り欠き部１１ａをなくすように変形させて固定するようにしたが、切り欠き部のない環状のものでもホースバンド１２の締め付けで径を小さくするように変形するものであればよい。
【００２５】
【発明の効果】
以上のとおり、請求項１及び請求項４に記載のマンホール用可撓継手によれば、継手本体部とリブ付パイプとの接続は、固定用補助材及びホースバンドを介して継手本体部の前部を直接、隣接する環状リブ間に押付け強固に固定させるものであるため、継手本体部とリブ付パイプとの間のシール性は土圧の影響を受けても十分確保される。
また、固定用補助材及びホースバンドは、継手本体部の外周に設けられていて内周側に従来例で示したゴムパッキンのような突起部はないので、継手本体部に対するリブ付パイプの挿入は容易で取付作業の簡素化が図られる。
【００２６】
また、請求項２に記載の発明によれば、請求項１に記載の発明の作用効果に加えて、継手本体部の前部の、固定用補助材によって押付けられる部位よりさらに前側の部位の肉厚を、押付けられる部位の肉厚よりも厚くしてあるので、リブ付パイプに引抜き力が加わっても厚肉の部位がストッパーの役割をして継手本体部とリブ付パイプとの接続は容易に離れない。
【００２７】
さらに、請求項３に記載の発明によれば、請求項１又は２に記載の発明の作用効果に加えて、継手本体部の後部は、拡径することによってマンホールに設けられた孔に取付けられるので、取付けが容易である。
【図面の簡単な説明】
【図１】本発明の実施形態に係るマンホール用可撓継手が使用された状態を示す部分断面側面図である。
【図２】図１の要部を示す拡大断面図である。
【図３】図１に示す固定用補助材を示す斜視図である。
【図４】本発明の実施形態に係るマンホール用可撓継手が取付けられる前の状態を示す部分断面側面図である。
【図５】本発明の別の実施形態に係るマンホール用可撓継手が使用された状態を示す部分断面側面図である。
【図６】従来例に係るマンホール用可撓継手が使用された状態を示す部分断面側面図である。
【符号の説明】
１０      継手本体部
１１      固定用補助材
１１ａ    切り欠き部
１１ｂ    両端部
１２      ホースバンド
１３      張り出し金具
１５      凹部
２０      パイプ
２１      ホースバンド
２２      継手本体部
２２ａ    フランジ部
２３      ゴムパッキン
Ａ      マンホールの側壁
Ｈ      孔
Ｐ      リブ付パイプ
Ｒ      環状リブ
Ｘ      前部
Ｘａ    前側の部位
Ｙ      後部
【図１】
0004082550.tif 000002
【図２】
0004082550.tif 000003
【図３】
0004082550.tif 000004
【図４】
0004082550.tif 000005
【図５】
0004082550.tif 000006
【図６】
0004082550.tif 000007